(57)【特許請求の範囲】
【請求項１】
砂の輸送及び流動体化した積み降ろしのために乾燥ばら積み貨物船（１）を準備する方法であって、
多目的船倉（４）の内部に、流入開口（１２）を有する流動体化パイプ（１０）及びまた流動体化した砂のためのスラリー流入口（３４）を配置するステップを含んでおり、
スラリー流入口（３４）と積み降ろしパイプ（４０）との間に接続されたスラリーポンプ（３８）を配置するステップをさらに含み、前記スラリーポンプ（３８）が前記多目的船倉（４）に隣接した船倉（２）に置かれており、
前記乾燥ばら積み貨物船（１）に、水流入口（２０）と前記流動体化パイプ（１０）との間に接続されるべき水ポンプ（１８）を配置するステップをさらに含み、前記水ポンプ（１８）の動作により、前記流動化パイプ（１０）を介して前記多目的船倉（４）内に水を供給して砂を流動化させ、
スラリー流入口（３４）を船倉（２、４）の間の隔壁（３２）に配置するステップをさらに含むことを特徴とする、方法。
【請求項２】
前記多目的船倉（４）の壁（２４）に流入開口（１２）を有する流動体化パイプ（１０）を配置するステップをさらに含む、請求項１に記載の方法。
【請求項３】
前記多目的船倉（４）に空気注入パイプ（２６）を配置するステップをさらに含む、請求項１に記載の方法。
【請求項４】
前記積み降ろしパイプ（４０）を前記乾燥ばら積み貨物船（１）で放出させるステップをさらに含む、請求項１に記載の方法。
【請求項５】
前記積み降ろしパイプ（４０）を運搬パイプに接続するステップをさらに含む、請求項１に記載の方法。
【請求項６】
少なくとも一つの排水カラム（４４）を前記多目的船倉（４）に配置するステップをさらに含む、請求項１に記載の方法。
【請求項７】
前記排水カラム（４４）を前記スラリーポンプ（３８）に接続するステップをさらに含む、請求項６に記載の方法。
【請求項８】
外海での砂の輸送及び流動体化した積み降ろしを行う乾燥ばら積み貨物船（１）において、
多目的船倉（４）の内部に配置された流入開口（１２）を有する流動体化パイプ（１０）と、
多目的船倉（４）とこの船倉（４）に隣接した船倉（２）との間の隔壁（３２）に配置された流動体化した砂のためのスラリー流入口（３４）と、
スラリー流入口（３４）と積み降ろしパイプ（４０）との間に接続されたスラリーポンプ（３８）であって、前記多目的船倉（４）に隣接した船倉（２）に置かれたスラリーポンプ（３８）と、
前記乾燥ばら積み貨物船（１）に配置された、水流入口（２０）と前記流動体化パイプ（１０）との間に接続される水ポンプ（１８）と、
を有し、
前記水ポンプ（１８）の動作により、前記流動化パイプ（１０）を介して前記多目的船倉（４）内に水を供給して砂を流動化させることを特徴とする乾燥ばら積み貨物船（１）。
【発明の詳細な説明】
【技術分野】
【０００１】
本発明は、乾燥ばら積み貨物船を準備する方法に関する。より具体的には、砂の輸送及び流動体化した積み降ろしのための乾燥ばら積み貨物船を準備する方法に関する。
【背景技術】
【０００２】
陸地を得るために海の領域を埋め立てるとき、しばしば大量の物質が必要とされる。従来技術によれば、いわゆる自己積み降ろし浚渫船ＴＳＨＤ（「船尾吸引ホッパー浚渫船」）が、普通は使われる。積み込み場所から積み降ろし場所までの輸送の間に、その物質は船体内のサイロ状の区画に置かれる。物質は、船体の底部を開けることによって、例えば、お互いに対して動かされることが可能なように構成された２つの部分に形成された船殻によって、積み降され得る。
【０００３】
欧州特許０６７７６１８号は、底部ハッチを有する船体を開示している。
【先行技術文献】
【特許文献】
【０００４】
【特許文献１】欧州特許０６７７６１８号明細書
【特許文献２】米国特許第３４４５００８号明細書
【特許文献３】米国特許第４０３３４７０号明細書
【発明の概要】
【発明が解決しようとする課題】
【０００５】
しかし、言及されているタイプの船体は、大量の物質を長い距離に渡って運ぶことに特に適している訳ではなく、特に、外海領域での輸送は問題になる。この理由は、これらの船体が建造及び運行にあたって比較的高価であることを考慮すると、また、それらの比較的制約された運搬容量のために、経済性に関係している。
【０００６】
積み降ろしの前及び間に物質を流動体化することが知られている。そのために、米国特許第３４４５００８号は、船体の船倉の下部が水及び物質をポンプで排出する前に水で満たされる方法及び装置を記述している。
【０００７】
米国特許第４０３３４７０号から、ノズル及び加圧水を使って積荷を流動体化することが知られている。
【０００８】
船倉内での物質の輸送は一般的に、船倉が閉じられること、及び外海での運搬の間に積荷が乾燥していると分類されなければならないことを、必要とする。
【０００９】
浚渫された物質を運ぶための乾燥ばら積み貨物船の使用が提案されており、特許出願第１９９８６１０１号は、積荷の表面に置かれるべき積み降ろし装置を記述しており、その装置は、積荷を流動体化してポンプで排出することを可能にするように構成されている。しかし、そのような解決策の積み降ろし容量は不十分であることが証明されてきている。
【００１０】
本発明の目的は、従来技術の不利益の少なくとも一つを取り除くか又は低減することである。
【課題を解決するための手段】
【００１１】
本発明によれば、その目的は、以下の記述及び引き続く請求項に開示されている特徴によって、達成される。
【００１２】
砂の輸送及び流動体化した積み降ろしのために乾燥ばら積み貨物船を準備する方法が提供され、この方法は、多目的船倉の内部に、流入開口を有する流動体化パイプ及びまた流動体化した砂のためのスラリー流入口を配置するステップを包含しており、この方法はさらに、スラリー流入口と積み降ろしパイプとの間に接続されたスラリーポンプを配置するステップをさらに含み、スラリーポンプが多目的船倉に隣接した船倉に置かれている。
【００１３】
この方法はさらに、スラリー流入口を船倉の間の隔壁に配置するステップをさらに含み得る。これより、スラリーは、船体のレイアウトを実質的に変えなければならないことなしに、乾燥ばら積み貨物船の多目的船倉から積み降ろされ得る。
【００１４】
この方法はさらに、多目的船倉に隣接した船倉に、水流入口と流動体化パイプとの間に接続されるべき水ポンプを配置するステップをさらに含み得る。
【００１５】
ポンプを隣接する船倉に配置することによって、ポンプは、多目的船倉の床の近くの高さのレベルに置かれる。同時に、スラリーポンプは、スラリー流入口の近くに置かれ得る。これは、そうでなければポンプにて実質的な度合いで発生するキャビテーションを低減する。スラリーポンプへのスラリーの流出は、多目的船倉内でスラリーの上部に置かれてスラリー内に圧力を生成する砂からの静圧によって、促進される。
【００１６】
積み降ろしの間、水が水流入口から、ノズルから構成され得る流入開口を通って流れ込み得て、多目的船倉の床、しばしばタンクトップと呼ばれる部分に最も接近して置かれている砂を流動体化する。望まれるならば、流入開口を有する流動体化パイプがまた、多目的船倉の壁に、又は多目的船倉の異なるレベルの高さに、配置され得る。
【００１７】
砂の流動体化をさらに改良するために、この方法はまた、多目的船倉に、好ましくはその床の近くに、空気注入パイプを配置するステップをさらに包含し得る。空気注入パイプには、ノズルのような空気注入開口が設けられ得る。空気注入パイプはコンプレッサに、典型的には圧力タンクを介して、接続される。実験は、水で流動体化された砂が、いくらかの空気を流動体化された砂に混合することによってよりよい流動性を得ることを証明している。
【００１８】
乾燥ばら積み貨物船は、乾燥ばら積み貨物船の運搬容量が超過したとすると、全ての船倉内が砂で満たされるわけではない。この理由から、ポンプ及び潜在的なコンプレッサに加えてバルブ及び制御構成要素を備え得る技術的設備のために、例えば全ての他の船倉を使用することもまた、適切である。スラリーポンプに入る前に流動体化された砂の比重を調節するために、スラリーパイプへの水の注入パイプもまた、スラリーポンプの流入側に配置され得る。水は、水ポンプから又は船殻の海水箱から、供給され得る。
【００１９】
一般的に、一つの船倉内の設備は、２つの隣接する船倉に作用し得る
【００２０】
流動体化された物質は、スラリーポンプ及び積み降ろしパイプを介して上方にスラリー流入口に流れ込むことを可能にすることによって、積み降ろされ得る。
【００２１】
この方法はさらに、砂が乾燥ばら積み貨物船から積み降ろされるべきときに、積み降ろしパイプを乾燥ばら積み貨物船の外側で終端することを可能にするステップ、又は、流動体化された砂が乾燥ばら積み貨物船から離れた位置に、例えば海岸に送達されるべきときに、積み降ろしパイプを輸送パイプに接続するステップを、包含し得る。
【００２２】
砂の輸送のための船には、普通は、典型的には積み込み場所の近くの海床から掘り出された、流動体化された又は非常に湿った砂が積まれている。この砂は、輸送の間、乾燥していると分類されるために、排水されなければならない。
【００２３】
この方法は、少なくとも一つの排水カラムを、多目的船倉に砂の排水のために配置するステップをさらに包含し得る。このタイプの排水カラムは、パイプに沿ったパイプ壁に数多くの開口を有するパイプから構成され得て、各開口には、水が開口を通って入り得るようにスクリーンが設けられて、沈殿した砂がスクリーンを覆って、これより顕著な量の砂が開口から排水カラムに入り込むことを防ぐ。
【００２４】
この方法はまた、水を砂の表面からポンプで排出するために、排水カラムをスラリーポンプに接続するステップをさらに包含し得る。
【００２５】
外海を通る輸送のために、好ましくは少なくとも３つの船倉を有し且つ本発明に従って準備された乾燥ばら積み貨物船を使用することは、砂の輸送及び積み降ろしのための時間及びコストの実質的な低減を可能にする。
【発明の効果】
【００２６】
本発明によれば、従来技術の不利益の少なくとも一つを取り除くか又は低減することができる。
【図面の簡単な説明】
【００２７】
好適な方法及び実施形態の一例が以下に記述されており、且つ添付の図面に描かれている。
【図１】積み込み中の本発明に従った乾燥ばら積み貨物船を断面で示す図である。
【図２】乾燥ばら積み貨物船の船倉の区画の平面図を示す図である。
【図３】乾燥ばら積み貨物船の多目的船倉の詳細を斜視図で示す図であり、多目的船倉の範囲が破線によって示されている。
【図４】排水カラムを通る断面を大きなスケールで示す図である。
【発明を実施するための形態】
【００２８】
図面において、参照番号１は乾燥ばら積み貨物船を示し、これは、いくつかの船倉２を備えていて、その少なくとも一つは多目的船倉４として使用される。
【００２９】
図１において、乾燥ばら積み貨物船１は浚渫器６の隣に固定されて、流動体形態の砂が浚渫器６から充填パイプ８を介して多目的船倉４に流れ込む。
【００３０】
乾燥ばら積み貨物船１の多目的船倉４には、その床−タンクトップ−の近くに、流入開口１２を有する数多くの流動体化パイプ１０が設けられている。流動体化パイプ１０は、乾燥ばら積み貨物船１の長手方向に水平に延在しており、マニホールド１４に接続されている。第１の水バルブ１６を介して、マニホールド１４は、水流入口２０から水を受け取る水ポンプ１８に接続されている。図２を参照のこと。水流入口２０は、海水箱（図示せず）を備え得る。水ポンプ１８は、多目的船倉４に隣接した船倉２に位置しており、第２の水バルブ２２を介して他の隣接する多目的船倉４に水を供給することを可能にするように、設計されている。図２において、第２の水バルブ２２は水ポンプ１８の下に隠されている。
【００３１】
流動体化パイプ１０の一部は、多目的船倉４の壁２４に配置されている。
【００３２】
空気注入開口２８を有する数多くの空気注入パイプ２６が、多目的船倉４の床の近くに配置されている。空気注入パイプ２６は、多目的船倉４に関して隣接する船倉２に置かれた圧力タンク３０と連通している。
【００３３】
船倉２と多目的船倉４との間の隔壁３２には、スラリー流入口３４が位置している。スラリー流入口３４及びスラリーバルブ３６を介して、多目的船倉４はスラリーポンプ３８の流入口に接続されている。スラリーポンプ３８は、多目的船倉４に隣接する船倉２に置かれて、積み降ろしパイプ４０に接続されている。積み降ろしパイプ４０は、乾燥ばら積み貨物船１の隣の海中で終端している。
【００３４】
中間パイプ４２が、マニホールド１４とスラリーポンプ３８の流入口との間に接続されている。この目的は、スラリーポンプ３８に入る前に、追加の水を中間パイプ４２を介して供給することによって、流動体化した砂の比重を調節できるようにすることである。
【００３５】
３つの排水カラム４４が多目的船倉４に設けられている。排水カラム４４は、その下部で排水パイプ４６に接続されており、これは、排水バルブ４８を介してスラリーポンプ３８に接続されている。
【００３６】
排水カラム４４は、その長手の延長に沿ってパイプ壁に数多くの開口５２を有するパイプ５０を備えている。図４を参照のこと。頂部では隙間が無く且つ底部では開いているスクリーン５４が、開口部５２でパイプ５０を囲んでおり、これによって、環状の空間５６がスクリーン５４とパイプ５０との間に形成される。
【００３７】
水は、環状の空間５６を通って上方に、開口５２を介してパイプ５０内に流れ込み得て、一方、スクリーン５４の周囲に沈殿した砂は、多目的船倉４が満たされると、環状の空間５６を底部でシールする。砂６０の上方に位置する過剰な水５８は、したがって、排水カラム４４の上方の開口５２を介して出なければならない。図１を参照のこと。
【００３８】
乾燥ばら積み貨物船１の積み込みの間、流動体化した砂が充填パイプ８を介して多目的船倉４に流れ込むと、砂６０は多目的船倉４に沈殿する。スラリーバルブ３６が閉じられて、排水バルブ４８が開けられる。上述のように、過剰な水５８は、排水カラム４４、排水パイプ４６、及びスラリーポンプ３８を介して、積み降ろしパイプ４０を介して海に排水される。
【００３９】
乾燥ばら積み貨物船１の積み降しが行われる前に、第１の水バルブ１６が開けられ、排水バルブ４８が閉じられて、スラリーバルブ３６が開けられる。
【００４０】
水ポンプ１８がスタートすると、水が水流入口２０から水ポンプ１８、第１の水バルブ１６、マニホールド１４、流動体化パイプ１０、及び流入開口１２を介して、砂６０に流れ込み、それによって、流入開口１２に最も近く位置する砂の一部が流動体化されて、スラリーを形成する。
【００４１】
スラリーポンプ３８がスタートすると、流動体化された砂がスラリー流入口３４、スラリーバルブ３６、及びスラリーポンプ３８を介して、積み降ろしパイプ４０に流れる。
【００４２】
望まれるならば、空気が圧力タンク３０から、空気注入パイプ２６及び空気注入開口２８を介して、流動体化された砂に供給される。
【符号の説明】
【００４３】
１  乾燥ばら積貨物船、２  船倉、４  多目的船倉、６  浚渫器、８  充填パイプ、１０  流動体化パイプ、１２  流入口、１４  マニホールド、１６  第１の水バルブ、１８  水ポンプ、２０  水流入口、２２  水バルブ、２４  壁、２６  空気注入パイプ、２８  空気注入開口、３０  圧力タンク、３２  隔壁、３４  スリラー流入口、３６  スリラーバルブ、３８  スリラーポンプ、４０  積み降ろしパイプ、４２  中間パイプ、４４  排水カラム、４６  排水パイプ、４８  排水バルブ、５０  パイプ、５２  開口部、５４  スクリーン、５６  環状の空間、５８  過剰な水、６０  砂。
【図１】
0005557917.tif 000002
【図２】
0005557917.tif 000003
【図３】
0005557917.tif 000004
【図４】
0005557917.tif 000005